【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
部品データをレイアウトすることで作成される文書データの作成を支援する情報処理システムであって、
前記文書データにレイアウトされた部品データを管理する管理手段と、
前記管理手段により管理されている同一の部品データに対して複数の変更要求を受け付ける変更要求受付手段と、
前記変更要求受付手段により当該部品データに対して受け付けた複数の変更要求に関する情報を記憶する記憶手段と、
当該部品データの表示要求を受け付ける表示要求受付手段と、
前記表示要求受付手段により表示要求を受け付けた部品データと、前記記憶手段に記憶された当該部品データに対して受け付けた複数の変更要求に関する情報の一覧とを併せて表示する表示手段と
を備えることを特徴とする情報処理システム。
【請求項２】
前記変更要求に関する情報には、変更要求の理由を含むことを特徴とする請求項１に記載の情報処理システム。
【請求項３】
前記変更要求の理由が他の部品データとの不整合である場合に、前記表示手段は、前記部品データと不整合を起こしている他の部品データの情報を表示することを特徴とする請求項２に記載の情報処理システム。
【請求項４】
前記表示手段により表示された前記部品データに対して、部品作成ユーザからの編集指示に応じた更新処理を行う更新手段と、
前記更新手段により行われる前記部品データの更新処理が、いずれの前記変更要求に応じて行ったものであるかの指定を受け付ける指定受付手段と
前記指定受付手段で指定された変更要求を行った文書データ中の部品データを、前記更新手段による更新後の部品データに変更する変更手段と、
を備えることを特徴とする請求項１乃至３のいずれか１項に記載の情報処理システム。
【請求項５】
文書データにレイアウトされた部品データを管理する管理手段を備え、前記部品データをレイアウトすることで作成される文書データの作成を支援する情報処理システムの制御方法であって、
前記情報処理システムの変更要求受付手段が、前記管理手段により管理されている同一の部品データに対して複数の変更要求を受け付ける変更要求受付工程と、
前記情報処理システムの記憶手段が、前記変更要求受付工程により当該部品データに対して受け付けた複数の変更要求に関する情報を記憶する記憶工程と、
前記情報処理システムの表示要求受付手段が、当該部品データの表示要求を受け付ける表示要求受付工程と、
前記情報処理システムの表示手段が、前記表示要求受付工程により表示要求を受け付けた部品データと当該部品データに対して受け付けた複数の変更要求に関する情報の一覧とを併せて表示する表示工程と
を備えることを特徴とする情報処理システムの制御方法。
【請求項６】
文書データにレイアウトされた部品データを管理する管理手段を備え、前記部品データをレイアウトすることで作成される文書データの作成を支援する情報処理システムで実行可能なプログラムであって、
前記情報処理システムを、
前記管理手段により管理されている同一の部品データに対して複数の変更要求を受け付ける変更要求受付手段と、
前記変更要求受付手段により当該部品データに対して受け付けた複数の変更要求に関する情報を記憶する記憶手段と、
当該部品データの表示要求を受け付ける表示要求受付手段と、
前記表示要求受付手段により表示要求を受け付けた部品データと、前記記憶手段に記憶された当該部品データに対して受け付けた複数の変更要求に関する情報の一覧とを併せて表示する表示手段
として機能させることを特徴とするプログラム。
【手続補正２】
【補正対象書類名】明細書
【補正対象項目名】発明の名称
【補正方法】変更
【補正の内容】
【発明の名称】情報処理システム、情報処理システムの制御方法、及びプログラム
【手続補正３】
【補正対象書類名】明細書
【補正対象項目名】０００１
【補正方法】変更
【補正の内容】
【０００１】
情報処理システム、情報処理システムの制御方法、及びプログラムに関し、特に、既に作成した電子文書データで使用した部品データの中に、変更すべき部品データがあった場合に、当該部品データの変更担当者に報知し、かつ、当該部品データの変更担当者による変更要求の把握を容易にする仕組みに関する。
【手続補正４】
【補正対象書類名】明細書
【補正対象項目名】０００９
【補正方法】変更
【補正の内容】
【０００９】
本発明は、既に作成した電子文書データで使用した部品データの中に、変更すべき部品データがあった場合に、当該部品データの変更担当者に報知し、かつ、当該部品データの変更担当者による変更要求の把握を容易にすることを目的とする。
【手続補正５】
【補正対象書類名】明細書
【補正対象項目名】００１０
【補正方法】変更
【補正の内容】
【００１０】
本発明は、部品データをレイアウトすることで作成される文書データの作成を支援する情報処理システムであって、前記文書データにレイアウトされた部品データを管理する管理手段と、前記管理手段により管理されている同一の部品データに対して複数の変更要求を受け付ける変更要求受付手段と、前記変更要求受付手段により当該部品データに対して受け付けた複数の変更要求に関する情報を記憶する記憶手段と、当該部品データの表示要求を受け付ける表示要求受付手段と、前記表示要求受付手段により表示要求を受け付けた部品データと、前記記憶手段に記憶された当該部品データに対して受け付けた複数の変更要求に関する情報の一覧とを併せて表示する表示手段とを備えることを特徴とする。
【手続補正６】
【補正対象書類名】明細書
【補正対象項目名】００１１
【補正方法】変更
【補正の内容】
【００１１】
また、本発明は、文書データにレイアウトされた部品データを管理する管理手段を備え、前記部品データをレイアウトすることで作成される文書データの作成を支援する情報処理システムの制御方法であって、前記情報処理システムの変更要求受付手段が、前記管理手段により管理されている同一の部品データに対して複数の変更要求を受け付ける変更要求受付工程と、前記情報処理システムの記憶手段が、前記変更要求受付工程により当該部品データに対して受け付けた複数の変更要求に関する情報を記憶する記憶工程と、前記情報処理システムの表示要求受付手段が、当該部品データの表示要求を受け付ける表示要求受付工程と、前記情報処理システムの表示手段が、前記表示要求受付工程により表示要求を受け付けた部品データと当該部品データに対して受け付けた複数の変更要求に関する情報の一覧とを併せて表示する表示工程とを備えることを特徴とする。
また、本発明は、文書データにレイアウトされた部品データを管理する管理手段を備え、前記部品データをレイアウトすることで作成される文書データの作成を支援する情報処理システムで実行可能なプログラムであって、前記情報処理システムを、前記管理手段により管理されている同一の部品データに対して複数の変更要求を受け付ける変更要求受付手段と、前記変更要求受付手段により当該部品データに対して受け付けた複数の変更要求に関する情報を記憶する記憶手段と、当該部品データの表示要求を受け付ける表示要求受付手段と、前記表示要求受付手段により表示要求を受け付けた部品データと、前記記憶手段に記憶された当該部品データに対して受け付けた複数の変更要求に関する情報の一覧とを併せて表示する表示手段として機能させることを特徴とする。
【手続補正７】
【補正対象書類名】明細書
【補正対象項目名】００１２
【補正方法】変更
【補正の内容】
【００１２】
本発明によると、既に作成した電子文書データで使用した部品データの中に、変更すべき部品データがあった場合に、当該部品データの変更担当者に報知し、かつ、当該部品データの変更担当者による変更要求の把握を容易にすることができる。